(57)【要約】【課題】複数の出入り口を有するより興味深い迷路を提供する。【解決手段】出入り口を有する適宜サイズの外壁を適宜個所に立設するとともに、該外壁にて囲まれる迷路エリアを確保し、該迷路エリア内において、内壁を立設することにて入り口から出口に至る正解通路を含む多数の通路を形成し、該正解通路につながる出入り口を複数個設けたことを特徴とする。【選択図】図６
0003176942.tif 000002
【実用新案登録請求の範囲】
【請求項１】
出入り口を有する適宜サイズの外壁を適宜個所に立設するとともに、該外壁にて囲まれる迷路エリアを確保し、該迷路エリア内において、内壁を立設することにて入り口から出口に至る正解通路を含む多数の通路を形成し、該正解通路につながる出入り口を複数個設けたことを特徴とする複数出入り口を有する迷路。
【請求項２】
正解通路の可変手段を設けてなる請求項１記載の複数出入り口を有する迷路。
【請求項３】
外壁外面より適宜距離を持って外壁を囲むフェンスを設けてなる請求項１または２記載の複数出入り口を有する迷路。
【考案の詳細な説明】
【技術分野】
【０００１】  この考案は、複数の出入り口を有する迷路に関する。
【背景技術】
【０００２】  従来より、多種多様な迷路が存在するが、そのいずれもが出入り口は各１個所のみであって、本案にて示すように複数個の出入り口を有するものは見あたらない。
【考案の概要】
【考案が解決しようとする課題】
【０００３】  迷路は古代ギリシャ時代より存在し、以降種々の迷路が造られ、親しまれてきた。
一般的には、壁面にて仕切られた正解通路を配置し、この正解通路につながる袋通路を設け、入り口より入った後は正解通路を見いだしながら進行し、無事に出口に到達することを目的としている。この正解通路につながるが出口につながらない袋通路としての不正解通路があるため、この不正解通路を避けながら進行しなければならない。
正解通路は、入り口と出口を結ぶ最短進行路であるので、一つの迷路について一通りしか正解通路は存在しない。そのため、この正解通路を覚えてしまうと、迷路の面白さは失われてしまうが、これに対する有効な手段は存在していない。
本案は以上に鑑み、一つの迷路について複数個の出入り口を設けることにて、多様な楽しみの得られる新規かつ有用なる迷路を提供することを目的として発案したものである。
【課題を解決するための手段】
【０００４】  課題を解決する手段として本案は以下の構成とした。
すなわち、出入り口を有する適宜サイズの外壁を適宜個所に立設するとともに、該外壁にて囲まれる迷路エリアを確保し、該迷路エリア内において、内壁を立設することにて入り口から出口に至る正解通路を含む多数の通路を形成し、該正解通路につながる出入り口を複数個設ける。本案は以上の構成よりなる複数出入り口を有する迷路である。
【考案の効果】
【０００５】  本案は下記の効果を有する。
１．出入り口を複数個有する迷路としたので、幾通りもの正解通路を有する迷路を得るこ  とができる。
２．通路可変手段を設けることにて、正解通路を可変として楽しむことができる。
３．フェンスを外壁周囲に設けることにて、迷路の不正利用を防止することができる。
【図面の簡単な説明】
【０００６】
【図１】  従来例の平面図
【図２】  従来例の正面図
【図３】  本考案の平面図
【図４】  本考案の平面図（変化例）
【図５】  本考案の要部説明図
【図６】  本考案の平面図（実現例）
【考案を実施するための最良の形態】
【０００７】  以下、本考案の実施形態について説明する。
図において、１は外壁で、高さ約２メートルほどの木板製壁部であって迷路全体を四方から取り囲む部分であって迷路エリアを示している。２は木板製内壁で、外壁よりやや薄く外壁と同一高さの壁部であって、迷路を構成する主要部分である。この内壁によって迷路の正解通路３および不正解通路４が形成される。なお、正解通路個所は、迷路入り口５と迷路出口６とを結ぶ最短ルートである。
利用者は迷路入り口より迷路内に入り、通路を経て出口に達することを目的とする。
以上が、従来からある迷路方式であり、次に本案迷路の特徴について説明する。
本案迷路の第１は、図３にて示されるように、第２入り口１０から第５入り口１３までの複数個の入り口を設けたことを特徴とする。これらの迷路入り口には、ドア方式が用いられ、ドアを開けて入り、そしてドアを閉める。これらの入り口は正解通路につながる位置に設けられており、各々特有の迷路探検ができることとなる。
従来の迷路は既述のごとく出入り口が各一つしかないので、一度正解通路を覚えてしまうとその楽しみは半減する。しかし、本案では複数個の入り口を設けているので、各々異なった正解通路が発生して、変化のある迷路を楽しむことができる。また、入り口を出口に、出口を入り口として利用することにて、さらに変化のある楽しみ方ができる。
ただし、適切な出口を選択できるように、内壁の適所に但し書き例えば「この出口は５番入り口から入った方は出られません」等の表記が必要である。【０００８】  図４は本案の変化例を示すものである。本例は前例内容に加えて、正解通路を可変としたものである。図において、イとロは正解通路の可変個所である。
可変前はイは通行可能であり、ロは通行不可であった。可変後は、逆にイを通行不可、ロを通行可能とするのである。この可変は、所定の内壁端面に図５のように縦溝を設けておき、この溝に挿入可能な仕切り板２０を出入りさせることにてなされる。
従って、入り口５より入るとき、二点鎖線にて示す正解通路を歩いてきたとき、可変前のイの個所は開いているので、図のごとく通行できるのであるが、可変後は仕切り板にて塞がっているのでイの個所を通行できない。それで、矢印の方向へ進み、ロの個所に達する。ロは今度は開いているので、そのまま通過して、もとの正解通路へと達することができる。つまり、可変前と後では正解通路が異なるのである。
以下同様にハとニ、ホとヘが設けられて、同様に正解通路変更がなされる。
これにより、数多くの正解通路が発生する。すなわち、イとロの変化をＡとＢ、ハとニの変化をＣとＤ、ホとヘの変化をＥとＦとすれば、これらの組み合わせは、２の３乗通り、すなわち、ＡＣＥ、ＡＣＦ、ＢＣＥ、ＢＣＦ、ＢＤＥ，ＢＤＦ、ＡＤＥ，ＡＤＦの８通りとなる。これは、出入り口の６通りと組み合わせることにより、４８通りの正解通路が得られて、多様な変化に富む正解通路を有する迷路を得ることができる。【０００９】  本案の現実的な例としては、図６のようなものが想定される。
図において、３０は金網によるフェンスで、本案迷路外壁と所定距離を有して外壁外側に設けられ、２個所の開放部３１を有している。開放部近傍フェンス内には、ベンチ３２，自動販売機３３，券売機３４が各々設置される。利用者は、券売機にて利用料金を払い、係員に渡してから迷路を利用する。また、適宜に自動販売機やベンチを利用することができる。フェンスがあるので、迷路の無断利用を防ぐことができる。
以上、本案について記したが、本案は複数入り口を設けたところにその特徴を有している。既述のように、従来の迷路は１個所の入り口と出口しかないので、一度正解を覚えてしまうと興味が薄れてしまうが、本案では複数の入り口を設けたために、複数の正解通路が得られてより多くの興味を得ることができ、また、正解通路の可変手段と併用することにて、さらに多くの正解通路が発生して、その興味を多様に変化させるものとなったのである。なお、既述例においては内外壁を木板にて形成したが、これに限らず、屋外など背の高い植物を育成して内外壁の代わりとして利用してもよい。また、利用者が迷路に迷って出られなくなることを防止するために、入場時に、封筒に入れた正解通路図を渡してもよい。既述の迷路構成は実施の一例であって、より簡略なあるいはより複雑な迷路にて自由に構成することができる。
以上のごとく本案によってより興味深い迷路を得ることができる。
【符号の説明】
【００１０】１    外壁
２    内壁
３    正解通路
４    不正解通路
５    迷路入り口
６    迷路出口
１０  第２入り口
１１  第３入り口
１２  第４入り口
１３  第５入り口
２０  仕切り板
３０  フェンス
３１  開放部
３２  ベンチ
３３  自動販売機
３４  券売機
イ    可変仕切り
ロ    可変仕切り
ハ    可変仕切り
ニ    可変仕切り
ホ    可変仕切り
ヘ    可変仕切り
【図１】
0003176942.tif 000003
【図２】
0003176942.tif 000004
【図３】
0003176942.tif 000005
【図４】
0003176942.tif 000006
【図５】
0003176942.tif 000007
【図６】
0003176942.tif 000008